(57)【特許請求の範囲】
【請求項１】
金属部品と、その金属部品を装着する樹脂ホルダと、その金属部品から伝熱可能に設置される放熱フィンとよりなる蓄電池用空冷放熱部品において、
前記金属部品には、前記樹脂との密着性を向上するための表面処理がなされており、
前記放熱フィンには、複数のフィンを形成した本体部の反対側の側面に第一の凹部が設けられ、前記樹脂ホルダに前記第一の凹部に嵌合する放熱フィン係止部が設けられ、
前記金属部品と前記放熱フィンとが当接されていることを特徴とする蓄電池用空冷放熱部品。
【請求項２】
前記第一の凹部には、その第一の凹部の開口部の幅と比べ、その第一の凹部を形成する対向面間の最短間隔が大なる部位が設けられる請求項１に記載の蓄電池用空冷放熱部品。
【請求項３】
前記金属部品を介して対称に一対の放熱フィンが配設される請求項１又は請求項２に記載の蓄電池用空冷放熱部品。
【請求項４】
前記樹脂ホルダには前記放熱フィンの側部に係止する側部係止部が一体に形成され、前記放熱フィンは前記放熱フィン係止部と前記側部係止部間に挟持される請求項１〜請求項３のいずれか一に記載の蓄電池用空冷放熱部品。
【請求項５】
前記放熱フィンには空気通路とされる第二の凹部が形成される請求項１〜請求項４のいずれか一に記載の蓄電池用空冷放熱部品。
【請求項６】
前記放熱フィンが押出成型されてなる請求項１〜請求項３いずれか一に記載の蓄電池用空冷放熱部品。
【請求項７】
押出成型されてなる前記放熱フィンには相互に平行な複数のフィン列を一の組として２組以上のフィン列が設けられる請求項６に記載の蓄電池用空冷放熱部品。
【請求項８】
金型内に金属部品を配置する工程と、金属部品を配置した金型内に樹脂を充填する工程と、金型内に放熱フィンを前記金属部品と接触させて配置する工程とを有し、前記金属部品には樹脂との密着性を向上するための表面処理を行うこと、及び
前記放熱フィンには樹脂湯道が形成され、金型内に樹脂が充填されることによって前記放熱フィンの前記樹脂湯道に樹脂を充填することを特徴とする蓄電池用空冷放熱部品の製造方法。
【請求項９】
前記放熱フィンの樹脂流路は、放熱フィンに形成された第一の凹部であり、その第一の凹部の開口部の幅と比べ、その第一の凹部を形成する対向面間の最短間隔が大なる部位が設けられる請求項３又は請求項４に記載の蓄電池用空冷放熱部品の製造方法。
【発明の詳細な説明】
【技術分野】
【０００１】
本発明は、放熱を必要とする蓄電池用空冷放熱部品及び蓄電池用空冷放熱部品の製造方法に関する。
【背景技術】
【０００２】
蓄電池部品、電子部品、原動機部品等の放熱を必要とする放熱部品が存在する。
例えばラップトップ形などの小形電子機器で使用されているＩＣパッケージ等の各種電子部品は、その集積化に伴い年々発熱密度が増加してきている。そのためＩＣパッケージ等の各種電子部品の放熱を促進して信頼性を確保するため、ヒートシンクが活用されている。
このヒートシンクは発熱素子を取り付けるベース板と、ベース板からの熱を放熱させるフィンから構成される。またその冷却方法は、発生する熱により生じる空気の対流を利用した自然冷却と、ファンにより空気を強制的に対流させたり、水などの冷却媒体を用いる強制冷却とに大別される。
従来この放熱部品の取り付けはＩＣパッケージ等の各種電子部品に対して、ヒートシンク等の放熱部品を例えば熱伝導性接着剤によって接着する方法や、熱伝導性両面テープや、ボルト、クリップ等を用いて固定している。
【０００３】
この従来の接着方法では、例えば熱伝導性接着剤を用いる場合には熱伝導性接着剤が経年変化により剥れ、剥れた放熱部品が装置内部の導電部に付着して機器の故障の要因となるという問題があった。また熱伝導性接着剤によって接着後乾燥するまでに待機時間が必要となりこれが生産性向上の障害となっていた。
【０００４】
これに対する対策として特許文献１には高熱伝導性金属製の放熱部品が、その接触部と前記電子部品との間に熱伝導性が良く且つ弾力性のあるゴム製シートを介在させて前記取付部を機器内部の構造部品にボルトなど機械的手段により固定した小形電子機器における電子部品への放熱部品取付構造が開示された。
【先行技術文献】
【特許文献】
【０００５】
【特許文献１】特開平6-77367号公報
【発明の概要】
【発明が解決しようとする課題】
【０００６】
以上の特許文献１に示される放熱部品取付構造では放熱部品固定に費用と時間が掛かっており大量生産には不向きである。又ボルト等で固定するので工程数が増加し、効率が悪く生産性が低い。
【０００７】
本発明は以上の従来技術における問題に鑑み、放熱部品の取付を簡便化しながらしかも大きな冷却効果が得られる放熱部品及び放熱部品の製造方法を提供することを目的とする。
【課題を解決するための手段】
【０００８】
すなわち本発明に係る放熱部品は金属部品と、その金属部品を装着する樹脂ホルダと、その金属部品から伝熱可能に設置される放熱フィンとよりなる放熱部品において、前記樹脂ホルダに放熱フィン係止部が設けられ、前記放熱フィンには、前記放熱フィン係止部を嵌合する嵌合部が設けられることを特徴とする。
【０００９】
前記放熱フィンとして押出成型されてなるものを用いることができ、これにより生産性の向上を図ることができる。
【００１０】
また本発明に係る放熱部品の製造方法は金型内に金属部品を配置する工程と、金属部品を配置した金型内に樹脂を充填する工程と、金型内に放熱フィンを前記金属部品と接触させて配置する工程とを有し、前記放熱フィンには樹脂湯道が形成され、金型内に樹脂が充填されることによって前記放熱フィンの前記樹脂湯道に樹脂を充填することを特徴とする。
【００１１】
前記金属部品には樹脂との密着性を向上するための表面処理を行うのがよい。
係る方法としては、各種化成処理や陽極酸化処理（アルマイト処理）、KO処理やソフトエッチングすることで金属部品表面に超微細な独特の凹凸形状をつくり、樹脂との密着強度を向上させる方法等がある。
【００１２】
前記放熱フィンの樹脂流路は、放熱フィンに形成された第一の凹部であり、その第一の凹部の開口部の幅と比べ、その第一の凹部を形成する対向面間の最短間隔が大なる部位が設けられることによって樹脂凝固後に放熱フィンの第一の凹部からの樹脂の抜け落ちを防止することができる。
【発明の効果】
【００１３】
本発明の蓄電池部品、電子部品、原動機部品等の放熱を必要とする部品すなわち放熱部品及び放熱部品の製造方法によれば、放熱部品の取付を簡便化しながらしかも大きな冷却効果が得られる放熱部品及び放熱部品の製造方法を得ることが可能となる。
【図面の簡単な説明】
【００１４】
【図１】本発明の一実施の形態に係る放熱部品の平面図である。
【図２】図１に示す本発明の一実施の形態に係る放熱部品の部分斜視図である。
【図３】図１に示す本発明の一実施の形態に係る放熱部品の他の部分斜視図である。
【図４】図１〜図３に示す本発明の一実施の形態に係る放熱部品に用いられる部品の（ａ）斜視図、（ｂ）背面図、（ｃ）正面図である。
【図５】図４に示す本発明の一実施の形態に係る放熱部品の部品の（ａ）図１Ｖａ−Ｖａ部分断面模式図、（ｂ）図５（ａ）Ｖｂ−Ｖｂ部分断面模式図である。
【図６】本発明の放熱部品の製造方法に用いる金型の模式断面図であり、図６（ａ）は図図１ＶＩａ−ＶＩａに相当する部位を示し、図６（ｂ）は図１ＶＩｂ−ＶＩｂに相当する部位を示す。
【図７】本発明の他の実施の形態に係る放熱部品の部品の図５（ａ）に対応する部分断面模式図である。
【図８】本発明の他の実施の形態に係る放熱部品の部品の（ａ）、（ｂ）、（ｃ）各断面模式図である。
【図９】本発明の他の実施の形態に係る放熱部品の部品の（ａ）、（ｂ）、（ｃ）各断面模式図である。
【発明を実施するための形態】
【００１５】
以下に本発明の一実施の形態の放熱部品及び放熱部品の製造方法につき図面を参照して説明する。
図１〜図３に示されるように本発明の一実施の形態の放熱部品１は樹脂ホルダ２によって金属部品３と放熱フィン４とを担持した態様で構成される。その様に構成された状態で金属部品３の一体延長部の一側面３ａに放熱フィン４のフィン５を形成した本体部６の反対側の側面が直接当接することによって金属部品３と放熱フィン４の相互間で伝熱可能にされる。
【００１６】
図４（ａ）に示す様に放熱フィン４は本体部６と一体に４列のフィン５を形成してなる。その複数のフィン５を形成した本体部６の反対側の側面には第一の凹部７が設けられる。図５（ａ）（ｂ）に示す様に放熱フィン４の第一の凹部７は樹脂ホルダ２と一体に形成された放熱フィン係止部２ａと嵌合する嵌合部となる。
【００１７】
放熱フィン係止部２ａと嵌合する嵌合部となる第一の凹部７は図４（ｂ）に示す様にフィン５と同様放熱フィン４の長手方向一方端から他方端に渡って直行して形成され、一方端及び他方端に開放端部７ａ，ｂが形成されてなる。
以上のように放熱フィン４は第一の凹部７がフィン５と同様放熱フィン４の長手方向一方端から他方端に渡って直行して形成される形態とされる結果、放熱フィン４は押し出し成形によって生産性よく製造することができる。
また図４（ｃ）に示す様に第一の凹部７は開口部７ｃから内方に向かって徐々に拡開される形態とされる結果、第一の凹部７の開口部７ｃの幅Ｗ１と比べ、その第一の凹部７を形成する対向面８ａ，８ｂ間の最短間隔Ｗ２が大なるようにされる。
【００１８】
図６に金属部品３と放熱フィン４とを樹脂ホルダ２によって担持するための金型９の模式断面図を示す。
図に示されるように、金型９内には金属部品３を配置する領域が形成されており、係る部分に金属部品３が配置される。また金型９内には放熱フィン４を配置する領域が形成されており、放熱フィン４のフィン５を形成した本体部６の反対側の側面が金属部品３の一体延長部の一側面３ａに直接当接するように、放熱フィン４を配置する領域に放熱フィン４を配置する。その状態で金型９内に金属部品３を担持する樹脂を充填すると、放熱フィン４の第一の凹部７が樹脂湯道となり、その長手方向一方端から他方端に渡って第一の凹部７内に樹脂が充填される。その後、充填された全体の樹脂が凝固して収縮することによって第一の凹部７内外の樹脂によって挟持される態様で放熱フィン４と樹脂ホルダ２とは強固に密着した状態となる。
【００１９】
特に樹脂湯道となる第一の凹部７は開口部７ｃから内方に向かって徐々に拡開されるアンカー状の形態とされている結果、樹脂充填後、凝固した樹脂ホルダ２と第一の凹部７とは強固に嵌合した状態となる。
また金属部品３も樹脂ホルダ２によって強固に担持されると同時に、樹脂の収縮の効果によって放熱フィン４のフィン５を形成した本体部６の反対側の側面が金属部品３の一体延長部の一側面３ａに直接当接し、相互に圧接されて高い熱伝導性が保証された放熱部品１を得ることができる。
【００２０】
金属部品３としてはアルミを用いることができる。また樹脂ホルダ２を形成する樹脂は、ポリエチレンテレフタレート（ＰＥＴ）、ポリブチレンテレフタレート（ＰＢＴ）、ポリブチレレン−エチレンテレフタレート（ＰＢＴ−ＰＥＴ共重合樹脂）、ポリエーテル・エーテルケトン（ＰＥＥＫ樹脂）、ポリフェニレンサルファイド（ＰＰＳ）、ポリエーテルイミド（ＰＥＩ）、６ナイロン（ＰＡ６）、６−６ナイロン（ＰＡ６６）、６Ｔナイロン（ＰＡ６Ｔ）、ポリフタルアミド（ＰＰＡ）、ポリスチレン（ＰＳ）、ＡＢＳ樹脂（ＡＢＳ）、塩化ビニル樹脂（ＰＶＣ）、ポリアセタール（ＰＯＭ）、液晶ポリマー（ＬＣＰ）、ポリサルホン（ＰＳＵ）、ポリプロピレン（ＰＰ）、ポリカーボネート（ＰＣ）、等の熱可塑性樹脂である。これらを単独又は混合して用いることができる。また、フェノール樹脂（ＰＦ）、エポキシ樹脂（ＥＰ）、ジアリルフタレート樹脂（ＰＤＡＰ）、シリコーン樹脂（ＳＩ）、ポリイミド樹脂（ＰＩ）、メラミン樹脂（ＭＦ）、ユリア樹脂（ＵＦ）等の熱硬化性樹脂である。これらの熱可塑性樹脂ならびに熱硬化性樹脂に、耐熱性や寸法安定性を向上させる目的で、炭素繊維、ガラス繊維、ガラスビーズ、タルク等の無機充填材を適宜配合してもよい。またセルロースナノファイバー等の有機充填剤を適宜配合しても良い。
【００２１】
図７は本発明の他の実施の形態に係る放熱部品の部品の図５（ａ）に対応する部分断面模式図を示す。
本実施の形態の放熱部品では金属部品３の一体延長部の一側面３ａを介して対称に一対の放熱フィン４ａ及び放熱フィン４ｂが配設される。そのため樹脂ホルダ２には放熱フィン４ａの第一の凹部７ａと嵌合する嵌合部となる放熱フィン係止部２ａに加えて、放熱フィン４ｂの第一の凹部７ｂと嵌合する嵌合部となる放熱フィン係止部２ｂが放熱フィン係止部２ａと一体に形成される。その様に放熱フィン係止部２ａと放熱フィン係止部２ｂとが一体に形成される結果、樹脂充填後の凝固収縮が原動力となって放熱フィン４ａ，ｂのフィン５ａ，ｂを形成した本体部６ａ，ｂの側面が金属部品３の一体延長部の両側面３ａに強固に押圧され、密着性が向上して高い熱伝導が得られる。
【００２２】
図８（ａ）は本発明の他の実施の形態に係る放熱部品の部品の図５（ａ）に対応する部分断面模式図を示す。
本実施の形態の放熱部品では樹脂ホルダ２には放熱フィン４の第一の凹部７と嵌合する嵌合部となる放熱フィン係止部２ａに加えて、放熱フィン４の側部に係止する側部係止部２ｃが一体に形成される。図示されるように放熱フィン係止部２ａと側部係止部２ｃとは一体に形成される結果、樹脂充填後の凝固収縮が原動力となって放熱フィン４のフィン５を形成した本体部６は放熱フィン係止部２ａと側部係止部２ｃとの間に強固に挟持される。
【００２３】
図８（ｂ）（ｃ）は本発明のさらに他の実施の形態に係る放熱部品の部品の各態様を示す。図８（ｂ）に示す態様では、放熱フィン４には相互に並列する複数の第二の凹部７−１、７−２、７−３が形成される。
図８（ｃ）に示す態様では、放熱フィン４には相互に並列する一対の第二の凹部７−４、７−５が形成される。
以上の図８（ｂ）に示す放熱フィン４の複数の第二の凹部７−１、７−２、７−３及び図８（ｃ）に示す放熱フィン４の第二の凹部７−４、７−５には特には樹脂は充填されず強制空冷時の空気通路とされる。
【００２４】
図９（ａ）（ｂ）（ｃ）は本発明のさらに他の実施の形態に係る放熱部品の部品の各態様を示す。図９（ａ）に示す態様では、放熱フィン４にはフィン５に加えてその側部にフィン５ａが一体に設けられる。図９（ｂ）に示す態様では、放熱フィン４には本体部６に台形状の第二の凹部７−６が形成される。図９（ｃ）に示す態様では、放熱フィン４には本体部６に台形状の第二の凹部７−６が形成されると共にフィン５に加えてその側部にフィン５ａが一体に設けられる。この図９（ｂ）（ｃ）に示す第二の凹部７−６には特には樹脂は充填されず強制空冷時の空気通路とされる。
【符号の説明】
【００２５】
４・・・放熱フィン、１・・・放熱部品、５・・・フィン、７・・・第一の凹部、３・・・金属部品、８ａ，８ｂ・・・対向面、２・・・樹脂ホルダ。
【図１】
0006606783.tif 000002
【図２】
0006606783.tif 000003
【図３】
0006606783.tif 000004
【図４】
0006606783.tif 000005
【図５】
0006606783.tif 000006
【図６】
0006606783.tif 000007
【図７】
0006606783.tif 000008
【図８】
0006606783.tif 000009
【図９】
0006606783.tif 000010